(57)【要約】【課題】電力システムに電力を供給したユーザに適した条件で電力を還元する。【解決手段】管理装置１は、ユーザの発電施設から電力システムに供給された供給電力量を、ユーザを識別するユーザ識別情報に関連付けて記憶部１１に記憶させる記憶制御部１２１と、ユーザが充電スタンドにおいて取得した電力量である充電量と、当該電力量を取得したときの充電種別とを示す充電結果を特定する充電結果特定部１２２と、特定された充電結果が示す充電種別に基づいて、当該充電結果が示す充電量を調整した調整充電量を決定する決定部１２３と、決定された調整充電量に基づいて記憶部１１に記憶されている供給電力量を更新する更新部１２４と、を備える。【選択図】図２
2020123202.tif 000002
【特許請求の範囲】
【請求項１】
ユーザの発電施設から電力システムに供給された供給電力量を、前記ユーザを識別するユーザ識別情報に関連付けて記憶部に記憶させる記憶制御部と、
前記ユーザが充電スタンドにおいて取得した電力量である充電量と、前記充電スタンドにおいて前記電力量を取得したときの充電種別とを示す充電結果を特定する充電結果特定部と、
前記充電結果特定部が特定した充電結果が示す前記充電種別に基づいて、当該充電結果が示す前記充電量を調整した調整充電量を決定する決定部と、
前記決定部が決定した前記調整充電量に基づいて、前記記憶部に記憶されている前記供給電力量を更新する更新部と、
を備える管理装置。
【請求項２】
前記決定部は、前記充電結果特定部が特定した充電結果が示す前記充電種別に対応する単位時間当たりの充電量を特定し、当該単位時間当たりの充電量に基づいて、前記調整充電量を決定する、
請求項１に記載の管理装置。
【請求項３】
前記決定部は、前記充電結果特定部が特定した充電結果が示す前記充電種別に基づいて、前記ユーザが前記充電スタンドにおいて使用した充電を行うための設備が単位時間内に充電できる最大電力量を特定し、当該単位時間内に充電できる最大電力量に基づいて、前記調整充電量を決定する、
請求項１に記載の管理装置。
【請求項４】
前記決定部は、前記充電量が大きくなればなるほど、前記充電量に対する前記調整充電量の割合を大きくすることにより、前記調整充電量を決定する、
請求項１から３のいずれか１項に記載の管理装置。
【請求項５】
前記決定部は、前記充電スタンドが設置されている施設の種別に基づいて前記調整充電量を決定する、
請求項１から４のいずれか１項に記載の管理装置。
【請求項６】
前記決定部は、前記充電スタンドの混雑状況に基づいて前記調整充電量を決定する、
請求項１から５のいずれか１項に記載の管理装置。
【請求項７】
前記充電スタンドは、前記ユーザから前記充電種別の選択を受け付け、
前記充電結果特定部は、前記充電スタンドが受け付けた前記充電種別を示す充電結果を特定し、
前記決定部は、前記充電結果特定部が特定した充電結果が示す、前記充電スタンドが受け付けた前記充電種別に基づいて前記調整充電量を決定する、
請求項１から６のいずれか１項に記載の管理装置。
【請求項８】
前記充電スタンドにおいて前記ユーザが取得する電力量の充電先である電気機器の蓄電状況を特定し、当該蓄電状況に基づいて前記充電スタンドにおいて前記電気機器に充電する電力量を取得する場合の前記充電種別を特定する充電種別特定部と、
前記充電種別特定部が特定した前記充電種別に基づく充電を前記充電スタンドに指示する指示部と、
をさらに備える、
請求項１から７のいずれか１項に記載の管理装置。
【請求項９】
充電種別特定部は、前記ユーザから、前記充電スタンドが設置されている施設における前記ユーザの滞在時間の予想時間を受け付け、当該予想時間に基づいて当該充電スタンドにおいて前記電気機器に充電する電力量を取得する場合の前記充電種別を特定する、
請求項８に記載の管理装置。
【請求項１０】
充電種別特定部は、前記充電スタンドが設置されている施設における状況に基づいて、当該施設における前記ユーザの滞在時間の予想時間を推定し、当該予想時間に基づいて当該充電スタンドにおいて前記電気機器に充電する電力量を取得する場合の前記充電種別を特定する、
請求項８に記載の管理装置。
【請求項１１】
前記ユーザが使用する端末に、前記充電スタンドの位置と、前記充電スタンドにおいて選択可能な充電種別とに関する情報を通知する通知部をさらに備える、
請求項１から１０のいずれか１項に記載の管理装置。
【請求項１２】
前記通知部は、前記端末に、前記調整充電量の決定に用いる係数である調整用係数に対応する情報を通知する、
請求項１１に記載の管理装置。
【請求項１３】
前記記憶制御部は、前記ユーザの発電施設から前記電力システムに供給された前記供給電力量のうち一部の供給電力量を、前記ユーザを識別するユーザ識別情報に関連付けて記憶させるとともに、前記供給電力量のうち残りの供給電力量をポイントに変換し、前記ユーザ識別情報に関連付けて前記記憶部に記憶させる、
請求項１から１２のいずれか１項に記載の管理装置。
【請求項１４】
前記記憶制御部は、前記電力システムに供給された前記供給電力量に対する、前記ポイントに変換する供給電力量の割合を前記ユーザから受け付け、当該割合に基づいて、前記電力システムに供給された前記供給電力量の一部を前記ポイントに変換する、
請求項１３に記載の管理装置。
【請求項１５】
前記記憶制御部は、前記ユーザの発電施設から電力システムに供給された供給電力量と、前記ユーザを識別するユーザ識別情報とを関連付けた情報を、ブロックチェーンを用いて複数の記憶装置のそれぞれの前記記憶部に分散して記憶させる、
請求項１から１４のいずれか１項に記載の管理装置。
【請求項１６】
前記ユーザから、前記ユーザ識別情報と、前記充電スタンドを識別するスタンド識別情報とを取得することにより前記充電スタンドにおける充電の実施予約を受け付ける予約受付部と、
前記実施予約に対応するユーザ識別情報及びスタンド識別情報を含み、充電先の電気機器への充電を行うか否かを問い合わせる問合せ情報を取得すると、当該電気機器への充電を当該スタンド識別情報に対応する充電スタンドに指示する充電指示部と、
をさらに備える、
請求項１から１５のいずれか１項に記載の管理装置。
【発明の詳細な説明】
【技術分野】
【０００１】
本発明は、ユーザの発電施設から電力システムに供給された供給電力量を管理する管理装置に関する。
【背景技術】
【０００２】
従来、発電を行うユーザが余剰電力を発生させた場合に、当該余剰電力分の電力を売却せずに、余剰電力分の電力量を管理しておき、後になって当該ユーザが当該電力量を利用できるようにすることが知られている。例えば、特許文献１には、車両の蓄電池から電力システムに送電される電力に対応する電力を、移動先で再充電することが開示されている。
【先行技術文献】
【特許文献】
【０００３】
【特許文献１】特開２０１５−００５２９３号公報
【発明の概要】
【発明が解決しようとする課題】
【０００４】
ところで、ユーザが移動先の充電スタンドで充電を行う場合に、充電スタンドにおける利用状況によって充電スタンドや電力システムに対する負担が異なる。充電スタンドにおいて、電力システムから供給される電力により、車両の蓄電池に対して急速充電を直接行う場合、電力システムに対する負荷が急激に上昇してしまう。したがって、充電スタンドの運営者は、電力システムが急激な負荷に対応できるようにするための設備増強を迫られたり、充電スタンドにおいて電力システムに対する負荷を急激に上昇させないようにするための対策を迫られたりすることがある。
【０００５】
充電スタンドにおいて、電力システムに対する負荷を急激に上昇させないようにする対策として、バッテリが設けられる場合がある。この場合には、車両の蓄電池に対し、当該バッテリに蓄電されている電力を充電するところ、ユーザの充電状況によってはバッテリの蓄電量が低下し、他のユーザが充電できる量が減ってしまう可能性がある。このため、充電スタンドの運営者がバッテリの容量を大容量にする等の対応を迫られることがあり、運営者に対してさらに負担がかかる可能性がある。したがって、電力システムに送電される電力に対応する電力をそのままユーザに還元させるのではなく、充電スタンドや電力システムに対する負担を考慮して、ユーザに電力を還元させることが好ましい。
【０００６】
そこで、本発明はこれらの点に鑑みてなされたものであり、電力システムに電力を供給したユーザに適した条件で電力を還元することができる管理装置を提供することを目的とする。
【課題を解決するための手段】
【０００７】
本発明の第１の態様に係る管理装置は、ユーザの発電施設から電力システムに供給された供給電力量を、前記ユーザを識別するユーザ識別情報に関連付けて記憶部に記憶させる記憶制御部と、前記ユーザが充電スタンドにおいて取得した電力量である充電量と、前記充電スタンドにおいて前記電力量を取得したときの充電種別とを示す充電結果を特定する充電結果特定部と、前記充電結果特定部が特定した充電結果が示す前記充電種別に基づいて、当該充電結果が示す前記充電量を調整した調整充電量を決定する決定部と、前記決定部が決定した前記調整充電量に基づいて、前記記憶部に記憶されている前記供給電力量を更新する更新部と、を備える。
【０００８】
前記決定部は、前記充電結果特定部が特定した充電結果が示す前記充電種別に対応する単位時間当たりの充電量を特定し、当該単位時間当たりの充電量に基づいて、前記調整充電量を決定してもよい。
【０００９】
前記決定部は、前記充電結果特定部が特定した充電結果が示す前記充電種別に基づいて、前記ユーザが前記充電スタンドにおいて使用した充電を行うための設備が単位時間内に充電できる最大電力量を特定し、当該単位時間内に充電できる最大電力量に基づいて、前記調整充電量を決定してもよい。
【００１０】
前記決定部は、前記充電量が大きくなればなるほど、前記充電量に対する前記調整充電量の割合を大きくすることにより、前記調整充電量を決定してもよい。
前記決定部は、前記充電スタンドが設置されている施設の種別に基づいて前記調整充電量を決定してもよい。
前記決定部は、前記充電スタンドの混雑状況に基づいて前記調整充電量を決定してもよい。
【００１１】
前記充電スタンドは、前記ユーザから前記充電種別の選択を受け付け、前記充電結果特定部は、前記充電スタンドが受け付けた前記充電種別を示す充電結果を特定し、前記決定部は、前記充電結果特定部が特定した充電結果が示す、前記充電スタンドが受け付けた前記充電種別に基づいて前記調整充電量を決定してもよい。
【００１２】
前記管理装置は、前記充電スタンドにおいて前記ユーザが取得する電力量の充電先である電気機器の蓄電状況を特定し、当該蓄電状況に基づいて前記充電スタンドにおいて前記電気機器に充電する電力量を取得する場合の前記充電種別を特定する充電種別特定部と、前記充電種別特定部が特定した前記充電種別に基づく充電を前記充電スタンドに指示する指示部と、をさらに備えてもよい。
【００１３】
充電種別特定部は、前記ユーザから、前記充電スタンドが設置されている施設における前記ユーザの滞在時間の予想時間を受け付け、当該予想時間に基づいて当該充電スタンドにおいて前記電気機器に充電する電力量を取得する場合の前記充電種別を特定してもよい。
【００１４】
充電種別特定部は、前記充電スタンドが設置されている施設における状況に基づいて、当該施設における前記ユーザの滞在時間の予想時間を推定し、当該予想時間に基づいて当該充電スタンドにおいて前記電気機器に充電する電力量を取得する場合の前記充電種別を特定してもよい。
【００１５】
前記管理装置は、前記ユーザが使用する端末に、前記充電スタンドの位置と、前記充電スタンドにおいて選択可能な充電種別とに関する情報を通知する通知部をさらに備えてもよい。
前記通知部は、前記端末に、前記調整充電量の決定に用いる係数である調整用係数に対応する情報を通知してもよい。
【００１６】
前記記憶制御部は、前記ユーザの発電施設から前記電力システムに供給された前記供給電力量のうち一部の供給電力量を、前記ユーザを識別するユーザ識別情報に関連付けて記憶させるとともに、前記供給電力量のうち残りの供給電力量をポイントに変換し、前記ユーザ識別情報に関連付けて前記記憶部に記憶させてもよい。
【００１７】
前記記憶制御部は、前記電力システムに供給された前記供給電力量に対する、前記ポイントに変換する供給電力量の割合を前記ユーザから受け付け、当該割合に基づいて、前記電力システムに供給された前記供給電力量の一部を前記ポイントに変換してもよい。
【００１８】
前記記憶制御部は、前記ユーザの発電施設から電力システムに供給された供給電力量と、前記ユーザを識別するユーザ識別情報とを関連付けた情報を、ブロックチェーンを用いて複数の記憶装置のそれぞれの前記記憶部に分散して記憶させてもよい。
【００１９】
前記管理装置は、前記ユーザから、前記ユーザ識別情報と、前記充電スタンドを識別するスタンド識別情報とを取得することにより前記充電スタンドにおける充電の実施予約を受け付ける予約受付部と、前記実施予約に対応するユーザ識別情報及びスタンド識別情報を含み、充電先の電気機器への充電を行うか否かを問い合わせる問合せ情報を取得すると、当該電気機器への充電を当該スタンド識別情報に対応する充電スタンドに指示する充電指示部と、をさらに備えてもよい。
【発明の効果】
【００２０】
本発明によれば、電力システムに電力を供給したユーザに適した条件で電力を還元することができるという効果を奏する。
【図面の簡単な説明】
【００２１】
【図１】第１実施形態に係る管理装置の概要を示す図である。
【図２】第１実施形態に係る管理装置の構成を示す図である。
【図３】第１実施形態に係る供給電力量ＤＢの一例を示す図である。
【図４】発電施設に設けられている各種装置の関係を示す図である。
【図５】第１実施形態に係る充電種別情報の一例を示す図である。
【図６】第１実施形態に係る管理装置における処理の流れの一例を示すフローチャートである。
【図７】第２実施形態に係る管理装置の構成を示す図である。
【図８】第３実施形態に係る管理装置の構成を示す図である。
【発明を実施するための形態】
【００２２】
＜第１実施形態＞
［管理装置１の概要］
図１は、第１実施形態に係る管理装置１の概要を示す図である。管理装置１は、ユーザの発電施設２から電力システムに供給された供給電力量を管理するサーバである。電力システムは、例えば電力会社が運営する電力系統を含む。
【００２３】
管理装置１は、インターネット等の通信ネットワークを介して、ユーザの発電施設２に設けられている電力量計２５と、充電スタンド３に設けられている電力量計３３とに接続されている。管理装置１は、電力量計２５から、発電施設２が電力システムに供給した供給電力量と、ユーザ識別情報とを取得し（図１の（１））、当該供給電力量と、ユーザ識別情報とを関連付けて供給電力量ＤＢに記憶する（図１の（２））。
【００２４】
ユーザは、電気機器として、電気自動車Ｃを使用しているものとする。管理装置１は、ユーザが充電スタンド３において、充電設備３１を介してバッテリ３２から自身が使用する電気自動車Ｃに充電した電力量である充電量と、充電スタンド３において電力量を取得したときの充電種別とを示す充電結果を、電力量計３３から取得する（図１の（３））。管理装置１は、充電結果に基づいて、充電量を調整した調整充電量を決定し（図１の（４））、当該調整充電量に基づいて、ユーザ識別情報に関連付けて供給電力量ＤＢに記憶されている供給電力量を更新する（図１の（５））。
【００２５】
このようにすることで、管理装置１は、電力システムに電力を供給したユーザに対して電力を適切に還元することができる。
続いて、管理装置１の構成について説明する。なお、以下の説明では、ユーザが使用する電気機器が電気自動車Ｃであるものとして説明を行うが、電気機器は、電気自動車Ｃに限定されるものではない。電気機器は、ＰＣ（Personal Computer）、スマートフォン等の各種の電気機器であってもよい。
【００２６】
［管理装置１の構成］
図２は、第１実施形態に係る管理装置１の構成を示す図である。図２に示すように、管理装置１は、記憶部１１と、制御部１２とを備える。
【００２７】
記憶部１１は、ハードディスク、ＲＯＭ（Read Only Memory）及びＲＡＭ（Random Access Memory）等の磁気記憶装置、ＳＳＤ（Solid State Drive）等の半導体記憶装置、光学記憶装置等を含む記憶装置又は記憶媒体である。記憶部１１は、制御部１２が実行するプログラムを記憶している。例えば、記憶部１１は、制御部１２を、記憶制御部１２１、充電結果特定部１２２、決定部１２３、及び更新部１２４として機能させる管理プログラムを記憶している。
【００２８】
また、記憶部１１には、供給電力量ＤＢ１１１が設けられている。供給電力量ＤＢ１１１は、ユーザの発電施設２から電力システムに供給された供給電力量の少なくとも一部と、ユーザを識別するユーザ識別情報とを関連付けて記憶する。図３は、第１実施形態に係る供給電力量ＤＢ１１１の一例を示す図である。図３に示すように、供給電力量ＤＢ１１１には、ユーザ識別情報と、供給電力量とが関連付けて格納されていることが確認できる。
また、記憶部１１には、ユーザの発電施設２から電力システムに供給された供給電力量の一部と、ユーザ識別情報とを関連付けて記憶するポイントＤＢ１１２が設けられている。
【００２９】
制御部１２は、例えばＣＰＵ（Central Processing Unit）である。制御部１２は、記憶部１１に記憶された管理プログラムを実行することにより、記憶制御部１２１、充電結果特定部１２２、決定部１２３、及び更新部１２４として機能する。
【００３０】
記憶制御部１２１は、ユーザの発電施設２から電力システムに供給された供給電力量を、ユーザを識別するユーザ識別情報に関連付けて記憶部１１に記憶させる。具体的には、記憶制御部１２１は、ユーザの発電施設２から電力システムに供給された供給電力量のうち一部の供給電力量を、ユーザ識別情報に関連付けて記憶させるとともに、供給電力量のうち残りの供給電力量をポイントに変換し、ユーザ識別情報に関連付けて記憶部１１に記憶させる。
【００３１】
具体的には、まず、記憶制御部１２１は、電力システムに供給された供給電力量に対する、ポイントに変換する供給電力量の割合をユーザから受け付ける。記憶制御部１２１は、発電施設２における発電量のうち、電力量計２５において測定された電力システムに供給される発電量としての供給電力量と、発電施設２のユーザを示すユーザ識別情報とを取得する。
【００３２】
図４は、発電施設２に設けられている各種装置の関係を示す図である。図４に示すように、発電施設２には、発電装置２１と、パワーコンディショナ２２と、分電盤２３と、複数の電化製品２４と、電力量計２５と、電力量計２６とが設けられている。
【００３３】
パワーコンディショナ２２は、発電装置２１が発電した電力（例えば直流電力）を所定形式の電力（例えば家庭用交流電力）に変換するとともに発電装置２１が発電した電力を測定する。
分電盤２３は、パワーコンディショナ２２により変換された所定形式の電力を複数の電化製品２４に供給する。
【００３４】
電力量計２５は、上述したように、発電装置２１が発電した電力量のうち、電力システムに供給される供給電力量を測定する。電力量計２５は、通信機能を備えており、所定時間おき（例えば、１日おき）に、供給電力量と、ユーザ識別情報とを管理装置１に送信する。
【００３５】
なお、本実施形態では、電力量計２５が、供給電力量と、ユーザ識別情報とを管理装置１に送信したが、これに限らない。例えば、電力量計２５に、管理装置１と通信を行う通信装置を接続させておき、電力量計２５が、当該通信装置を介して供給電力量と、ユーザ識別情報とを管理装置１に送信してもよい。
電力量計２６は、買電用の電力量計である。電力量計２６は、発電施設２において電力システムから供給された電力（電力会社から購入した電力）を測定する。
【００３６】
図２に説明を戻す。記憶制御部１２１は、電力量計２５から供給電力量とユーザ識別情報とを受信すると、供給電力量ＤＢ１１１を参照し、受信したユーザ識別情報に関連付けられている供給電力量を特定する。記憶制御部１２１は、ユーザから予め受け付けたポイントに変換する供給電力量の割合に基づいて、電力量計２５から受信した供給電力量のうち、供給電力量ＤＢ１１１の供給電力量に加算する供給電力量を算出する。記憶制御部１２１は、特定した供給電力量に、算出した供給電力量を加算することにより、ユーザの発電施設２から電力システムに供給された供給電力量を、ユーザ識別情報に関連付けて記憶部１１に記憶させる。
【００３７】
また、記憶制御部１２１は、供給電力量ＤＢ１１１を更新した後、電力量計２５から、供給電力量ＤＢ１１１の供給電力量に加算されなかった供給電力量を、予め定められたレートに基づいてポイントに変換する。記憶制御部１２１は、ポイントＤＢ１１２を参照し、電力量計２５から受信したユーザ識別情報に関連付けられているポイントを特定し、特定したポイントに、供給電力量から変換されたポイントを加算することにより、ポイントＤＢ１１２を更新する。
【００３８】
このようにすることで、管理装置１は、供給電力量の一部をポイントに変換するとともに、供給電力量ＤＢ１１１に供給電力量を貯めておくことができる。また、管理装置１は、ユーザから、供給電力量からポイントに変換する割合を受け付け、当該割合に基づいて供給電力量の一部をポイントに変換するので、ユーザの希望に応じて、供給電力量の一部をポイントに変換することができる。ここで、供給電力量から変換されたポイントは、他のポイントに変換できるものであってもよい。また、管理装置１は、供給電力量から当該他のポイントに直接変換してもよい。
【００３９】
なお、本実施形態では、記憶制御部１２１は、供給電力量と、ユーザ識別情報とを関連付けて管理装置１の供給電力量ＤＢ１１１に記憶させることとしたが、これに限らない。記憶制御部１２１は、ユーザの発電施設２から電力システムに供給された供給電力量と、ユーザを識別するユーザ識別情報とを関連付けた情報を、ブロックチェーンを用いて複数の記憶装置のそれぞれの記憶部に分散して記憶させてもよい。このようにすることで、管理装置１は、ユーザごとの供給電力量の改ざんを抑制し、供給電力量を安全に管理することができる。
【００４０】
充電結果特定部１２２は、ユーザが充電スタンド３において取得した電力量である充電量と、当該充電スタンド３においてユーザが当該電力量を取得したときの充電種別とを示す充電結果を特定する。充電種別は、充電の速さを示す情報である。充電種別としては、例えば、「超急速充電」、「急速充電」、「普通充電」の３つの種別があるものとする。
【００４１】
例えば、充電設備３１は、表示部を備えており、調整充電量の決定に用いる調整用係数に対応する情報と、充電種別とを関連付けて当該表示部に表示させる。調整充電量の決定に用いる調整用係数に対応する情報は、例えば、単位時間あたりの充電量である単位充電量に対応する調整充電量を示す情報である。充電スタンド３に設けられている充電設備３１は、ユーザが電気自動車Ｃに充電を行う場合に、当該ユーザから充電種別の選択を受け付ける。
【００４２】
充電結果特定部１２２は、ユーザが、充電スタンド３に設けられている充電設備３１を使用して電気自動車Ｃに充電を行うと、電力量計３３を介して、ユーザ識別情報と、電気自動車Ｃに対する充電量と、充電設備３１が受け付けた充電種別とを示す充電結果情報を取得することにより、充電結果を特定する。
【００４３】
決定部１２３は、充電結果特定部１２２が特定した充電結果が示す、充電設備３１が受け付けた充電種別を特定する。決定部１２３は、特定した充電種別に基づいて、充電結果特定部１２２が特定した充電結果が示す充電量を調整した調整電力量を決定する。
【００４４】
例えば、記憶部１１には、充電種別と、単位時間当たりの充電量（例えば、１時間当たりの充電量）を示す情報とを関連付けた充電種別情報が記憶されている。図５は、第１実施形態に係る充電種別情報の一例を示す図である。図５に示されるように、各充電種別に対して、単位時間当たりの充電量と、調整電力量を決定する場合に用いる第１調整用係数とが関連付けられていることが確認できる。また、図５では、単位時間当たりの充電量が相対的に多い充電種別の第１調整用係数が、当該充電量が相対的に少ない充電種別の第１調整用係数よりも小さいことが確認できる。
【００４５】
ここで、充電設備３１が、単位時間当たりの充電量が相対的に多い急速充電や超急速充電を許容するためには、バッテリ３２の容量を、単位時間当たりの充電量が相対的に少ない普通充電のみを行う場合に比べて大きくする必要がある。例えば、充電スタンド３において、頻繁に急速充電が行われると、バッテリ３２の蓄電量が恒常的に低下する可能性がある。また、急速充電を行うことにより、バッテリ３２の蓄電量が一時的に低下すると、他のユーザが充電できる量が減ってしまう可能性がある。このため、充電スタンド３の運営者は、急速充電が頻繁に行われる場合には、バッテリ３２の容量を大容量にし、頻繁な急速充電に対応する必要があり、負担がかかるという問題がある。
【００４６】
そこで、決定部１２３は、記憶部１１に記憶されている充電種別情報を参照し、充電結果特定部１２２が特定した充電結果が示す充電種別に対応する単位時間当たりの充電量を特定する。決定部１２３は、特定した当該単位時間当たりの充電量に基づいて、調整充電量を決定する。決定部１２３は、特定した当該単位時間当たりの充電量が多くなればなるほど、充電量に対する調整充電量の割合を大きくすることにより、調整充電量を決定する。例えば、決定部１２３は、充電結果情報が示す充電量に、特定した当該単位時間当たりの充電量に関連付けられている第１調整用係数を乗算することにより調整充電量を決定する。
【００４７】
このようにすることで、管理装置１は、ユーザが急速充電を積極的に利用することを抑制し、バッテリ３２の蓄電量が恒常的に低下することを抑制し、他のユーザが充電できる量が減ることを抑制できる。また、管理装置１は、充電スタンド３の運営者がバッテリ３２の容量を大容量にする対応をする可能性を低減させ、充電スタンド３の運営者に負担が発生する可能性を低減することができる。
【００４８】
なお、本実施形態において、決定部１２３は、単位時間当たりの充電量に基づいて調整充電量を決定することとしたが、これに限らない。決定部１２３は、単位電力当たりの充電時間に基づいて調整充電量を決定してもよい。
【００４９】
ここで、充電設備３１の使用時間が長ければ長いほど、充電に用いる充電設備３１を専有することになり、他のユーザが充電できなくなる可能性がある。そこで、決定部１２３は、充電スタンド３に設けられている充電設備３１を使用したときの充電量が大きくなればなるほど、充電量に対する調整充電量の割合を大きくすることにより、調整充電量を決定してもよい。この場合、充電設備３１は、複数の充電量と、当該充電量に対する調整充電量とを関連付けて表示部に表示させてもよい。
【００５０】
記憶部１１には、充電量と、調整電力量を決定する場合に用いる第２調整用係数とが関連付けて記憶されている。第２調整用係数は、例えば、充電量が大きいほど大きな値に設定される。決定部１２３は、記憶部１１を参照し、充電結果特定部１２２が取得した充電結果情報に含まれる充電量に関連付けられている第２調整用係数を特定する。そして、決定部１２３は、充電結果情報が示す充電量に、特定した第２調整用係数を乗算することにより調整充電量を決定する。
【００５１】
また、充電スタンド３が設置されている施設には、より多くのユーザに充電設備３１を利用させることが好ましい施設もある。例えば、ホテルやレストランといった施設に充電スタンド３が設置されている場合、より多くのユーザに充電設備３１を利用させることが好ましい。そこで、決定部１２３は、充電スタンド３が設置されている施設の種別に基づいて調整充電量を決定してもよい。この場合、充電設備３１は、単位充電量に対応する、施設の種別に基づく調整充電量を表示部に表示させてもよい。
【００５２】
記憶部１１には、施設の種別と、調整電力量を決定する場合に用いる第３調整用係数とが関連付けて記憶されている。第３調整用係数は、例えば、ホテルやレストランといった集客が必要な施設において、その他の施設よりも大きな値に設定することが考えられる。また、同じホテルやレストランであっても、立地や集客の難易度に応じて第３調整係数を変更してもよく（このような変更も施設の種別に基づく調整充電量の決定に含まれる。）、例えば立地が悪く集客難易度の高いホテルやレストランでは、立地が良く集客が容易なホテルやレストランよりも第３調整用係数を大きな値に設定することが考えられる。電力量計３３は、充電スタンド３が設置されている施設の種別を含む充電結果情報を管理装置１に送信する。決定部１２３は、記憶部１１を参照し、充電結果特定部１２２が取得した充電結果情報に含まれる施設の種別に関連付けられている第３調整用係数を特定する。そして、決定部１２３は、充電結果情報が示す充電量に、特定した第３調整用係数を乗算することにより調整充電量を決定する。
【００５３】
また、充電スタンド３の混雑状況によっては、一人のユーザによる充電設備３１の利用時間を短縮させることが好ましい場合もある。そこで、決定部１２３は、充電スタンド３の混雑状況に基づいて調整充電量を決定してもよい。この場合、充電設備３１は、単位充電量に対応する、現在の混雑状況に基づく調整充電量を表示部に表示させる。
【００５４】
記憶部１１には、充電スタンド３の混雑状況を示す混雑レベルと、調整電力量を決定する場合に用いる第４調整用係数とが関連付けて記憶されている。第４調整用係数は、例えば、混雑レベルが大きいほど大きな値に設定される。また、電力量計３３は、充電スタンド３の混雑レベルを含む充電結果情報を管理装置１に送信する。決定部１２３は、記憶部１１を参照し、充電結果特定部１２２が取得した充電結果情報に含まれる混雑レベルに関連付けられている第４調整用係数を特定する。そして、決定部１２３は、充電結果情報が示す充電量に、特定した第４調整用係数を乗算することにより調整充電量を決定する。
【００５５】
このようにすることで、管理装置１は、一人のユーザによる充電設備３１の利用時間が長くなることを抑制し、多くのユーザに充電設備３１を利用させることができる。なお、決定部１２３は、調整充電量を決定する場合に、第１調整用係数、第２調整用係数、第３調整用係数、及び第４調整用係数の少なくともいずれかを用いて調整充電量を決定してもよい。例えば、決定部１２３は、第１調整用係数、第２調整用係数、第３調整用係数、及び第４調整用係数を特定し、これらの調整用係数を充電結果情報が示す充電量に乗算することにより調整充電量を決定してもよい。
【００５６】
なお、充電設備３１は、複数の充電種別のそれぞれに対応して充電できるものであることから、決定部１２３は、充電結果特定部が特定した充電結果が示す充電種別に基づいて、ユーザが充電スタンド３において使用した充電を行うための設備が単位時間内に充電できる最大電力量を特定してもよい。そして、決定部１２３は、当該単位時間内に充電できる最大電力量に基づいて、調整充電量を決定してもよい。このようにすることで、管理装置１は、高速充電を行うことが可能な充電設備３１において、普通充電が長時間にわたって行われることを抑制することができる。
【００５７】
更新部１２４は、決定部１２３が決定した調整充電量を記憶部１１の供給電力量ＤＢ１１１に記憶されている供給電力量から減算することにより、ユーザ識別情報に関連付けて供給電力量ＤＢ１１１に記憶されている供給電力量を更新する。
【００５８】
具体的には、更新部１２４は、供給電力量ＤＢ１１１を参照し、充電結果特定部１２２が特定した充電結果が示すユーザ識別情報に関連付けられている供給電力量を特定する。更新部１２４は、特定した供給電力量から、決定部１２３が決定した調整充電量を減算することにより、当該ユーザ識別情報に関連付けて供給電力量ＤＢ１１１に記憶されている供給電力量を更新する。
【００５９】
［管理装置１における処理の流れ］
続いて、管理装置１における処理の流れについて説明する。図６は、第１実施形態に係る管理装置１における処理の流れの一例を示すフローチャートである。本フローチャートは、所定時間（例えば、１０秒）おきに実行されるものとする。
【００６０】
まず、記憶制御部１２１は、発電施設２から、供給電力量と、ユーザ識別情報とを取得したか否かを判定する（Ｓ１）。記憶制御部１２１は、供給電力量と、ユーザ識別情報とを取得したと判定すると、Ｓ２に処理を移し、供給電力量と、ユーザ識別情報とを取得していないと判定すると、Ｓ３に処理を移す。
【００６１】
Ｓ２において、記憶制御部１２１は、供給電力量ＤＢ１１１を参照し、取得したユーザ識別情報に関連付けられている供給電力量に、発電施設２から取得した供給電力量を加算する。
【００６２】
Ｓ３において、充電結果特定部１２２は、充電スタンド３から充電結果情報を取得することにより、充電結果を特定したか否かを判定する。充電結果特定部１２２は、充電結果を特定したと判定すると、Ｓ４に処理を移し、充電結果を特定していないと判定すると、本フローチャートに係る処理を終了する。
【００６３】
Ｓ４において、決定部１２３は、充電結果に基づいて調整電力量を決定する。
Ｓ５において、更新部１２４は、Ｓ４において決定された調整充電量を、供給電力量ＤＢ１１１において充電結果が示すユーザ識別情報に関連付けられている供給電力量から減算することにより、当該供給電力量を更新する。
【００６４】
［第１実施形態における効果］
以上説明したように、第１実施形態に係る管理装置１は、ユーザが充電スタンド３において取得した電力量である充電量と、充電スタンド３において電力量を取得したときの充電種別とを示す充電結果を特定し、特定した充電結果が示す充電種別に基づいて、当該充電結果が示す充電量を調整した調整充電量を決定する。そして、管理装置１は、決定した調整充電量を供給電力量ＤＢ１１１に記憶されている供給電力量から減算することにより、ユーザ識別情報に関連付けて供給電力量ＤＢ１１１に記憶されている供給電力量を更新する。
【００６５】
管理装置１がこのように動作することで、充電スタンド３の運営者は、例えば付加価値が高い充電種別のサービスを提供することで利益を増やすことができるので、急速充電をできる環境を提供しやすくなる。充電スタンド３において多様な充電種別に対応するサービスが提供されることで、電力システムに余剰電力を供給したユーザは、ニーズに応じた方法で電気自動車Ｃに充電できるという利益を得ることができる。このように、管理装置１は、電力システムに電力を供給したユーザに対して、ユーザに適した条件で電力を還元することができる。
【００６６】
なお、第１実施形態では、充電スタンド３がバッテリ３２を備えている例について説明したが、これに限らず、充電スタンド３はバッテリ３２を設けていなくてもよい。この場合、充電設備３１は、電力システムから供給される電力により、電気自動車Ｃの蓄電池に対して充電を直接行う。管理装置１は、ユーザが充電スタンド３において取得した電力量である充電量を、単位時間当たりの充電量が大きければ大きいほど、調整充電量が大きくなるように調整充電量を決定する。これにより、ユーザが急速充電を頻繁に行うことを抑制し、電力システムに対する負荷が急激に上昇することを抑制することができる。また、本実施形態では、管理装置１が、決定した調整充電量を供給電力量ＤＢ１１１に記憶されている供給電力量から減算することにより、ユーザ識別情報に関連付けて供給電力量ＤＢ１１１に記憶されている供給電力量を更新する例について説明したが、調整充電量に基づいて供給電力量を更新する方法は単純な「減算」のみに限定されず、他の計算方法による代替又は当該計算方法との組み合わせにより更新を行ってもよい。
【００６７】
＜第２実施形態＞
［充電前に充電種別を特定する］
続いて、第２実施形態について説明する。充電スタンド３においてユーザが電気自動車Ｃに充電を行う場合、ユーザの予定や電気機器の状況等に基づいて予め充電種別を特定することが好ましい場合がある。例えば、充電スタンド３が設置されている施設におけるユーザの滞在時間が短いと予想される場合に、電気自動車Ｃの蓄電池の残容量が少ないときには、高速充電を行うことが好ましいと考えられる。そこで、第２実施形態に係る管理装置１は、ユーザの予定や電気自動車Ｃの蓄電状況等に基づいて予め充電種別を特定し、当該充電種別に基づく充電を充電スタンド３に指示する点で第１実施形態と異なる。以下に、第２実施形態に係る管理装置１について説明を行う。なお、第１実施形態と同じ部分については適宜説明を省略する。
【００６８】
図７は、第２実施形態に係る管理装置１の構成を示す図である。図７に示すように、第２実施形態に係る制御部１２は、充電種別特定部１２５と、指示部１２６とをさらに備える。
【００６９】
充電種別特定部１２５は、充電スタンド３においてユーザが取得する電力量の充電先である電気機器としての電気自動車Ｃの蓄電状況を特定し、当該蓄電状況に基づいて充電スタンド３において電気自動車Ｃに充電する電力量を取得する場合の充電種別を特定する。
【００７０】
例えば、電気自動車Ｃは、充電スタンド３の充電設備３１と通信を行う通信部と、バッテリとを備えている。充電設備３１は、ユーザから、電気自動車Ｃへの充電開始操作を受け付ける場合に、ユーザ識別情報及び電気自動車Ｃのバッテリの蓄電状況を示す蓄電状況情報を取得する。
【００７１】
例えば、ユーザは、ユーザ識別情報を記憶するカードを所持している。充電設備３１は、電気自動車Ｃと通信を行うことにより蓄電状況情報を取得する取得部と、カードに記憶されているユーザ識別情報を読み取る読取部とを備えている。充電設備３１は、読取部により、当該カードに記憶されているユーザ識別情報を読み取ることにより当該ユーザ識別情報を取得するとともに、取得部により蓄電状況情報を取得する。
【００７２】
充電設備３１は、ユーザ識別情報と、蓄電状況情報とを取得すると、これらの情報を管理装置１に送信する。管理装置１の充電種別特定部１２５は、充電設備３１から、ユーザ識別情報と、蓄電状況情報とを取得すると、当該蓄電状況情報が示す蓄電状況に基づいて充電種別を特定する。
【００７３】
例えば、充電種別特定部１２５は、蓄電状況が示す蓄電量が所定の閾値未満の場合には、充電種別を急速充電と特定する。また、充電種別特定部１２５は、蓄電状況が示す蓄電量が第１閾値以上の場合には、充電種別を普通充電と特定する。
【００７４】
なお、充電種別特定部１２５は、ユーザから、充電スタンド３が設置されている施設におけるユーザの滞在時間の予想時間を受け付け、当該予想時間に基づいて当該充電スタンド３において電気機器に充電する電力量を取得する場合の充電種別を特定してもよい。
【００７５】
この場合、まず、充電設備３１は、電気自動車Ｃへの充電開始操作の受付時に、ユーザ識別情報と、蓄電状況情報とを取得するとともに、ユーザから、充電スタンド３が設置されている施設における滞在時間の予想時間を受け付ける。充電設備３１は、ユーザ識別情報と、蓄電状況情報と、滞在時間の予想時間とを管理装置１に送信する。
【００７６】
管理装置１の充電種別特定部１２５は、充電設備３１から、ユーザ識別情報と、蓄電状況情報と、滞在時間の予想時間とを取得すると、当該予想時間と、当該蓄電状況情報が示す蓄電状況とに基づいて、電気自動車Ｃに充電する電力量を取得する場合の充電種別を特定する。
【００７７】
例えば、充電種別特定部１２５は、蓄電状況が示す蓄電量が所定の閾値未満の場合において、滞在時間の予想時間が所定時間よりも短い場合、充電種別を急速充電と特定する。また、充電種別特定部１２５は、蓄電状況が示す蓄電量が所定の閾値未満の場合において、滞在時間の予想時間が所定時間以上である場合、充電種別を普通充電と特定する。このようにすることで、管理装置１は、ユーザの施設における滞在予想時間に基づいて適切な充電種別を選択することができる。
【００７８】
また、例えば、レストラン等の予めユーザの滞在時間の予想時間が予測しやすい施設では、当該施設の混雑状況に基づいて、滞在時間の予想時間を予測することも可能である。そこで、充電種別特定部１２５は、充電スタンド３が設置されている施設における状況に基づいて、当該施設におけるユーザの予想時間を推定してもよい。具体的には、充電種別特定部１２５は、充電スタンド３が設置されている施設から、当該施設における混雑状況を示す情報を取得し、当該情報に基づいて、当該施設におけるユーザの予想時間を推定する。そして、充電種別特定部１２５は、当該予想時間に基づいて当該充電スタンド３において電気機器に充電する電力量を取得する場合の充電種別を特定する。このようにすることで、管理装置１は、ユーザから滞在予想時間を受け付ける場合と同様に、適切な充電種別を選択することができる。
【００７９】
指示部１２６は、充電種別特定部１２５が特定した充電種別に基づく充電を充電スタンド３の充電設備３１に指示する。具体的には、指示部１２６は、充電種別特定部１２５が充電種別を特定したことに応じて、充電種別を含む指示情報を充電設備３１に送信することにより、当該充電種別に基づく充電を充電設備３１に指示する。充電設備３１は、指示情報に基づいて電気自動車Ｃに充電を行う。
【００８０】
［第２実施形態における効果］
以上説明したように、第２実施形態に係る管理装置１は、充電スタンド３においてユーザが取得する電力量の充電先である電気機器としての電気自動車Ｃの蓄電状況を特定し、当該蓄電状況に基づいて、充電スタンド３において電気自動車Ｃに充電する電力量を取得する場合の充電種別を特定する。また、管理装置１は、充電スタンド３が設置されている施設におけるユーザの滞在時間の予想時間に基づいて、充電スタンド３において電気自動車Ｃに充電する電力量を取得する場合の充電種別を特定する。このようにすることで、管理装置１は、ユーザの予定や電気自動車Ｃの蓄電状況等に適した充電種別に基づいて、電気自動車Ｃへの充電を制御することができる。
【００８１】
＜第３実施形態＞
［充電スタンド３の位置を通知する］
続いて、第３実施形態について説明する。第３実施形態に係る管理装置１は、ユーザに、充電スタンド３の位置を通知する点で第１実施形態と異なる。以下に、第３実施形態に係る管理装置１について説明を行う。
【００８２】
図８は、第３実施形態に係る管理装置１の構成を示す図である。図８に示すように、第３実施形態に係る制御部１２は、通知部１２７と、予約受付部１２８と、充電指示部１２９とをさらに備える。
【００８３】
通知部１２７は、ユーザが使用する端末に、充電スタンド３の位置と、充電スタンド３に設置されている充電を行うための充電設備３１において選択可能な充電種別とに関する情報を通知する。
【００８４】
ユーザが使用する端末は、例えば、電気自動車Ｃが備えるナビゲーション装置や、ユーザが所持するスマートフォン等の携帯端末である。通知部１２７は、ユーザが使用する端末から、当該端末の位置を示す端末位置情報を受信する。記憶部１１には、充電スタンド３の位置を示すスタンド位置情報と、当該充電スタンド３に設置されている充電設備３１が対応している充電種別とを関連付けた充電スタンド情報が記憶されている。通知部１２７は、端末位置情報を受信すると、充電スタンド情報を参照し、端末位置情報が示す位置から所定範囲内の位置を示すスタンド位置情報と、当該スタンド位置情報に関連付けられている充電種別とを特定する。通知部１２７は、特定したスタンド位置情報と、充電種別とを、端末位置情報を送信した端末に送信することにより、充電スタンド３の位置と、当該充電スタンド３に設置されている充電設備３１において選択可能な充電種別とに関する情報を通知する。
【００８５】
なお、通知部１２７は、ユーザが使用する端末に、調整充電量の決定に用いる調整用係数に対応する情報を通知してもよい。例えば、通知部１２７は、決定部１２３と同様に、記憶部１１に記憶されている充電種別情報を参照し、各充電スタンド３に対して特定した充電種別に関連付けられている単位時間当たりの充電量と、第１調整用係数とを特定し、当該充電時間及び第１調整用係数に基づいて、単位時間あたりの充電量に対する調整充電量を算出する。そして、通知部１２７は、算出した単位時間あたりの充電量に対する調整充電量を、調整充電量の決定に用いる調整用係数に対応する情報として、ユーザが使用する端末に通知する。
【００８６】
予約受付部１２８は、ユーザが使用する端末から、ユーザ識別情報と、充電スタンド３を識別するスタンド識別情報と、充電種別とを含み、充電の実施予約を示す予約情報を取得することにより、当該充電スタンド３における充電の実施予約を受け付ける。ここで、予約受付部１２８は、充電スタンド３が設置されている施設（例えば、レストランやホテル等）の利用予約とともに、当該充電スタンド３における充電の実施予約を受け付けるようにしてもよい。予約受付部１２８は、利用予約に関する情報として、レストランの利用時間やホテルの利用時間をユーザが使用する端末から受け付け、充電スタンド３における利用予定時間を、当該利用時間よりも長い時間に設定してもよい。この場合において、予約受付部１２８は、予約情報に、設定した利用予定時間を含め、当該利用予定時間に基づく予約を充電スタンド３において行えるようにする。
【００８７】
予約受付部１２８は、予約情報を取得することにより充電の実施予約を受け付ける。予約受付部１２８は、取得した予約情報を記憶部１１に記憶させる。予約受付部１２８は、取得した予約情報に含まれるスタンド識別情報に対応する充電スタンド３に設けられているスタンド端末（不図示）に、取得した予約情報に含まれる充電種別を含み、予約を指示する予約指示情報を送信する。
【００８８】
スタンド端末は、予約指示情報を受信すると、予約指示情報に含まれる充電種別に対応する充電設備３１の予約処理を行うことにより、充電の実施予約を行ったユーザ以外が当該充電設備３１を利用できないようにする。また、スタンド端末は、当該充電設備３１を識別する設備識別情報と、スタンド識別情報とを管理装置１に送信する。予約受付部１２８は、設備識別情報と、スタンド識別情報とを管理装置１から受信すると、これらの情報を含む予約確定情報を、充電の実施予約を行ったユーザが使用する端末に送信する。これにより、ユーザは、自身がどの充電設備３１において充電すればよいかを把握することができる。
【００８９】
ユーザが、充電の実施予約に対応する充電スタンド３に到着し、通知された充電設備３１において、電気自動車Ｃへの充電開始操作を行うと、充電設備３１は、ユーザ識別情報を取得する。充電設備３１は、ユーザ識別情報及びスタンド識別情報を含み、当該電気自動車Ｃへの充電を行うか否かを問い合わせる問合せ情報を管理装置１に送信する。
【００９０】
充電指示部１２９は、記憶部１１に記憶されている予約情報が示す実施予約に対応するユーザ識別情報及びスタンド識別情報を含み、充電先の電気機器への充電を行うか否かを問い合わせる問合せ情報を取得すると、当該電気機器への充電を当該スタンド識別情報に対応する充電スタンド３の充電設備３１に指示する。
【００９１】
［第３実施形態における効果］
以上説明したように、第３実施形態に係る管理装置１は、ユーザが使用する端末に、充電スタンド３の位置と、充電スタンド３に設置されている充電を行うための充電設備３１において選択可能な充電種別とに関する情報を通知する。このようにすることで、ユーザは、通知された情報を、どの充電スタンド３において充電すべきかの判断材料に用いることができる。
【００９２】
また、第３実施形態に係る管理装置１は、ユーザから、充電スタンド３における充電の実施予約を受け付け、当該実施予約に対応するユーザ識別情報及びスタンド識別情報を含み、充電先の電気自動車Ｃへの充電を行うか否かを問い合わせる問合せ情報を取得すると、当該電気自動車Ｃへの充電を当該スタンド識別情報に対応する充電スタンド３に指示する。このようにすることで、ユーザは、実施予約を行った充電スタンド３において、円滑に充電を行うことができる。
【００９３】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００９４】
１・・・管理装置、１１・・・記憶部、１１１・・・供給電力量ＤＢ、１１２・・・ポイントＤＢ、１２・・・制御部、１２１・・・記憶制御部、１２２・・・充電結果特定部、１２３・・・決定部、１２４・・・更新部、１２５・・・充電種別特定部、１２６・・・指示部、１２７・・・通知部、１２８・・・予約受付部、１２９・・・充電指示部、２・・・発電施設、２１・・・発電装置、２２・・・パワーコンディショナ、２３・・・分電盤、２４・・・電化製品、２５・・・電力量計、２６・・・電力量計、３・・・充電スタンド、３１・・・充電設備、３２・・・バッテリ、３３・・・電力量計
【図１】
2020123202.tif 000003
【図２】
2020123202.tif 000004
【図３】
2020123202.tif 000005
【図４】
2020123202.tif 000006
【図５】
2020123202.tif 000007
【図６】
2020123202.tif 000008
【図７】
2020123202.tif 000009
【図８】
2020123202.tif 000010